(57)【要約】      （修正有）【課題】除雪部につながる柄部を握った腕を上方に伸ばしたり、背伸びをしたり、または踏み台を使用したりしないと、なかなかきれいに除雪できない、車高の高い自動車の屋根に積もった雪はもちろんのこと、車高の高くない自動車の屋根に積もった雪も、無理のない姿勢で短時間に効率よくきれいに除雪することができ、またボンネットやフロントガラス、側面など、屋根以外の箇所の除雪にも適した使い易さも併せ持ち、しかもコンパクトに収納でき車両携行品として適している。【解決手段】除雪部につながる伸縮する柄部の端と握り部のついた柄部の端との間に関節装置を設け、二つの柄部を屈折させて固定できるようにし、また除雪部の傾きの調節と、除雪ブレードの切り替えを素早く行なえるようにする。【選択図】図１
2004314923.tif 000002
【特許請求の範囲】
【請求項１】
角度ストッパー（７）のついた関節（８）の一方の腕の先端に、３６０度回転栓（５）を取りつけ、それを除雪部（１）につながる伸縮する中空の柄部（４）の端にはめ込み連結する。
上記連結部分に、除雪部調節ねじ付き筒（６）を取りつける。
関節（８）のもう一方の腕は、握り部（９）につながる柄部（１０）の端に取りつける。
以上のように構成した自動車に積もった除雪用具の柄部の中途に設けた関節装置。
【発明の詳細な説明】
【０００１】
【発明の属する技術分野】
本発明は、自動車に積もった除雪用具の柄部の中途に設けた関節装置に関するものである。
【０００２】
【従来の技術】
従来のこの種の除雪用具の柄部は、１本の棒状、または２本ないし３本からなっていても、せいぜい伸縮するのみで屈折出来ない直線状のものであった。
【０００３】
【発明が解決しようとする課題】
従来の除雪用具の柄部は、直線状であったため、車高の高い自動車においては、屋根の両端の雪掻き程度に終り、除きにくい中央部分の雪は、屋根に載せたまま走行せざるを得ないというのが現実であって、運転中に滑落する雪のため事故になる恐れが多々あり、雪国のドライバーにとっては悩みであると共に、交通上他の車両にとっても大変に危険なことであった。
【０００４】
車高の高い自動車においては、屋根に積もった雪をきれいに除くには、除雪用具の柄部を握った自分の腕を上方に伸ばしたり、背伸びをしたり、または踏み台を使用したりしないと、なかなか思うように出来なかったし、特にこの作業は、降雪時には時間がかかるうえ、煩わしく身体的にも負担が大きかった。
【０００５】
車高の高くない部類に属する自動車でも、近年の車体のワイド化に伴って車高の増した自動車が多く発売されてきており、自分の肩より高いところに屋根のある自動車を運転している人は珍しくなく、したがって屋根を除雪するときの除雪用具の柄部を握った腕の位置は、以前と比較してかなり高くなってきており、特に女性やお年寄りにとっては、身体的にも負担の大きい煩わしい作業になってきている。
【０００６】
本発明は、その欠点をなくすために、車高の高さに係わらず、自動車の屋根に積もった雪を無理のない姿勢で、短時間に効率よくきれいに除雪することができ、またボンネットやフロントガラス、側面など屋根以外の箇所の除雪にも適した使い易さも併せ持ち、コンパクトに収納できることを課題として研究を進めた。
【０００７】
【課題を解決するための手段】
上記目的を達成するために、本発明の自動車に積もった除雪用具においては、角度ストッパーのついた関節の一方の腕の先端に、３６０度回転栓を取りつけ、それを除雪部につながる伸縮する中空の柄部の端にはめ込み連結し、その連結部分に除雪部調節ねじ付き筒を取りつけ、さらに関節のもう一方の腕を握り部につながる柄部の端に取りつけた構成の関節装置を除雪部につながる柄部の中途に設けたものである。
【０００８】
【発明の実施の形態】
発明の実施の形態を実施例にもとづき、図面を参照して説明する。
図１〜図４は第一実施例、図５〜図７は第二実施例を示している。
【０００９】
いずれも、角度ストッパー７のついた関節８の一方の腕の先端に、３６０度回転栓５を取りつけ、それを除雪部１につながる伸縮する中空の柄部４の端にはめ込み連結し、その連結部分に除雪部調節ねじ付き筒６を取りつけ、さらに関節８のもう一方の腕を握り部９につながる柄部１０の端に取りつけた構造を基本構成とする。
【００１０】
第一実施例は、主に車高の高い自動車用であり、屋根を除雪する場合に、柄部４と柄部１０を１３０度の角度で固定して使用し、屋根以外の箇所の除雪作業や収納するときには、柄部１０を柄部４に折りたたんで固定できるようにしたもので、なお柄部１０を折りたたんでの作業のときに除雪部１の操作性を良くするために、取っ手部１３を関節８に設けたものである。
【００１１】
第二実施例は、主に車高の高くない自動車用であり、屋根を除雪する場合に、柄部１０を下方向に屈折させて柄部４と１４０度の角度で固定して使用し、屋根以外の箇所の除雪作業には、柄部１０を柄部４と直線状に固定できるようにしたもので、収納時も同様に直線状とし、柄部２を縮小して収納するものである。
【００１２】
【発明の効果】
本発明は、以上説明したように構成されているので、以下に記載されるような効果を奏する。
【００１３】
自動車の屋根に積もった雪を除雪する場合に、関節で柄部に角度をつけて固定できるので、柄部を握る腕の位置は従来よりも低くなり、腕を上方に伸ばしたり、背伸びをしたり、または踏み台を使用する必要がなくなり、無理のない姿勢で作業が行なえる。
【００１４】
また除雪部につながる伸縮する柄部を適当な長さに伸ばして固定した後で、握り部のついた柄部と除雪部が垂直でないときに、除雪部調節ねじ付き筒のねじを緩め、握り部のついた柄部を左右に動かして、除雪部の傾きを調節することができ、さらに同様にして、除雪部につながる伸縮する柄部を半回転させることで、除雪部に上下２種類ついている除雪ブレードの切り替えがせ素早く行なえ、操作性に優れている。
【００１５】
屋根以外のボンネットやフロントガラス、側面などを除雪する場合に、握り部のついた柄部を関節で折りたたんで固定して、取っ手部を持ったり、または握り部のついた柄部を、除雪部につながる柄部と同じ直線状にして固定することができるので、１本の棒状の扱い使い易さとなり、作業がとてもしやすい。
【００１６】
収納も握り部のついた柄部を関節で二つに折りたたんで固定したり、除雪部につながる柄部と同じ直線状にして固定し、除雪部につながる伸縮する柄部を縮小することで、コンパクトになり、車両携行品として適している。
【００１７】
冬期間の除雪用具としてだけではなく、年間を通して洗車用具や水切り用具として使用できるので便利である。
【図面の簡単な説明】
【図１】収納時に柄部を折りたたむ除雪用具の使用時の側面図である。
【図２】収納時の側面図である。
【図３】収納時に柄部を折りたたむ除雪用具の使用時の関節装置まわりの斜視図である。
【図４】収納時に柄部を折りたたむ除雪用具の使用時の関節装置まわりの一部透視図を含む断面図である。
【図５】収納時に直線状の柄部となる除雪用具の使用時の側面図である。
【図６】収納時の側面図である。
【図７】収納時に直線状の柄部となる除雪用具の関節装置まわりの断面図である。
【図８】従来の柄部が一本の棒状の除雪用具の側面図である。
【図９】従来の柄部が伸縮する除雪用具の側面図である。
【符号の説明】
１  除雪部
４、１０  柄部
５  ３６０度回転栓
６  除雪部調節ねじ付き筒
７  角度ストッパー
８  関節
９  握り部
１３  取っ手部
【図１】
2004314923.tif 000003
【図２】
2004314923.tif 000004
【図３】
2004314923.tif 000005
【図４】
2004314923.tif 000006
【図５】
2004314923.tif 000007
【図６】
2004314923.tif 000008
【図７】
2004314923.tif 000009
【図８】
2004314923.tif 000010
【図９】
2004314923.tif 000011